(57)【要約】【課題】ダクト本体と蓋体とを堅固かつ容易に固定でき、電気ケーブルの保護性に優れ、コストを抑制できるダクトの蓋止め金具を提供する。【解決手段】ステム部１からフック部２へかけてダクト側に設けたフランジ３に、ステム部１の基端側で膨出する支点部３ａを形成し、支点部３ａをダクト本体５１の側板部５４に当接させ、側板部５４を貫通したボルト５に対し、ステム部１の長さ方向に延びるボルト穴４に沿ってスライド可能な状態で、ボルト穴４から突出したボルト５にナット９をねじ込んで締め付けると、ステム部１が揺動してフランジ３が蓋体５２の外嵌部５６に押し付けられると共に、フック部２の先端側が蓋板部５５に押し付けられるようにする。【選択図】図２
2008182844.tif 000002
【特許請求の範囲】
【請求項１】
ステム部(1)とフック部(2)とを形成すると共に、ステム部(1)にボルト穴(4)を穿設し、ダクト本体(51)の側板部(54)の内側から外側へ貫通させたボルト(5)をボルト穴(4)に差し込み、フック部(2)を蓋体(52)の蓋板部(55)に当接させて、ボルト(5)にナット(9)をねじ込み、ダクト本体(51)に蓋体(52)を固定するダクトの蓋止め金具において、
ステム部(1)からフック部(2)へかけてダクト側に設けたフランジ(3)に、ステム部(1)の基端側で膨出する支点部(3a)を形成し、支点部(3a)をダクト本体(51)の側板部(54)に当接させ、側板部(54)を貫通したボルト(5)に対し、ステム部(1)の長さ方向に延びるボルト穴(4)に沿ってスライド可能な状態で、ボルト穴(4)から突出したボルト(5)にナット(9)をねじ込んで締め付けると、ステム部(1)が揺動してフランジ(3)が蓋体(52)の外嵌部(56)に押し付けられると共に、フック部(2)の先端側が蓋板部(55)に押し付けられるようにしたことを特徴とするダクトの蓋止め金具。
【発明の詳細な説明】
【技術分野】
【０００１】
この発明は、電気ケーブル等を収納するダクトの蓋止め金具に関するものである。
【背景技術】
【０００２】
従来より、電気ケーブル等を収納するダクトにおいて、ダクト本体５１に蓋体５２を固定する蓋止め金具として、図６に示すように、座体１１と保持体１２とから成るものが使用されている。
【０００３】
この座体１１は、金属の板材を曲げて、座板部１３の両側にダクトの反対側へ向かう脇板部１４を連設し、脇板部１４から係止片１５を突出させ、座板部１３に円形のボルト穴１６を穿設した構成とされている。
【０００４】
また、保持体１２は、金属の板材を曲げて、ステム部１７とフック部１８とを形成すると共に、ステム部１７からフック部１８へかけて、その両側にダクト側へ向かうフランジ１９を形成し、ステム部１７に長さ方向に延びるボルト穴２０と、その両側方に位置する係止穴２１とを穿設した構成とされている。
【０００５】
このような蓋止め金具を使用して、図７に示すように、ダクト本体５１に蓋体５２を固定するには、ダクト本体５１の側板部５４に貫穴５７を穿設しておき、側板部５４の外面に座体１１の座板部１３を沿わせて、貫穴５７とボルト穴１６とを一致させる。
【０００６】
次に、側板部５４の内側からボルト２２を貫穴５７及びボルト穴１６に差し込み、対向する脇板部１４の間に挿入して回転が規制されたナット２３にボルト２２をねじ込んで締め付け、座体１１をダクト本体５１に固定する。
【０００７】
そして、座体１１に保持体１２を嵌め、係止片１５を係止穴２１に係合させつつ、ボルト穴２０にボルト２２を差し込み、フック部１８の先端側を蓋体５２の蓋板部５５に当接させ、ボルト２２にワッシャ２４を挿通し、ナット２５をねじ込んで、抜止用のＥリング２６を嵌める。
【０００８】
一方、電気ケーブルの入れ替え等に際し、ダクト本体５１から蓋体５２を取り外す場合には、図８に示すように、ナット２５を緩めて、保持体１２をボルト穴２０に沿って引き上げ、外側へ揺動させて退避させる。
【発明の開示】
【発明が解決しようとする課題】
【０００９】
しかしながら、上記のような蓋止め金具では、座体１１と保持体１２との上下方向の位置関係が係止片１５と係止穴２１との係合で決定されることから、ダクト本体５１に貫穴５７を穿設する際、厳密に位置決めして、座体１１を所定の位置に取り付けておかなければ、蓋体５２がガタついたり、保持体１２で蓋体５２を抱持できなくなる虞がある。
【００１０】
また、ダクト本体５１への座体１１の取り付けに際し、座体１１に対してナット２３を回転させることができないので、ダクト本体５１の内側からレンチ等を使用してボルト２２を締め付けなければならず、作業性がよくないという問題がある。
【００１１】
さらに、ダクト本体５１の内部がドライバーを幅方向に向けて入れられないくらい狭い場合、ボルト２２として、丸みを帯びた頭部にすり割りや十字穴を有する小ねじを使用することができず、六角ボルトの角部でケーブルの被覆が傷付いたりする虞がある。
【００１２】
また、ダクト本体５１から蓋体５２を取り外す際、退避させていた保持体１２が不意に戻ってしまい、蓋体５２を再度取り付ける作業に支障を来たすことがある。
【００１３】
そのほか、座体１１の製作や取り付けに手間がかかり、蓋止め金具の供給やダクトの設置・保守等に伴うコストが高くなるという問題もある。
【００１４】
そこで、この発明は、ダクト本体と蓋体とを堅固かつ容易に固定でき、電気ケーブルの保護性に優れ、コストを抑制できるダクトの蓋止め金具を提供することを課題とする。
【課題を解決するための手段】
【００１５】
上記課題を解決するため、この発明に係るダクトの蓋止め金具は、ステム部からフック部へかけてダクト側に設けたフランジに、ステム部の基端側で膨出する支点部を形成し、支点部をダクト本体の側板部に当接させ、側板部を貫通したボルトに対し、ステム部の長さ方向に延びるボルト穴に沿ってスライド可能な状態で、ボルト穴から突出したボルトにナットをねじ込んで締め付けると、ステム部が揺動してフランジが蓋体の外嵌部に押し付けられると共に、フック部の先端側が蓋板部に押し付けられるようにしたのである。
【発明の効果】
【００１６】
この発明に係るダクトの蓋止め金具では、ナットの締め付けに伴い、蓋体の外嵌部がステム部のフランジに押圧されて、ダクト本体の側板部外面に密着すると共に、蓋体の蓋板部がフック部の先端側に押圧されてダクト本体の側板部上端に密着するので、ダクト本体に蓋体が堅固に固定されるほか、座体が不要であることから、製造や取り付けに要するコストも低減される。
【００１７】
また、ダクト本体の側板部にボルトを貫通させる貫穴を開ける際、厳密に位置決めしなくても、蓋体を固定する際、ダクト本体に対し、ステム部のボルト穴に規制された範囲で蓋止め金具をスライドさせることができるので、蓋体を確実に固定でき、ダクト本体の側板部と蓋体との間に防水シールを介在させることもできる。
【００１８】
さらに、ダクト本体の側板部にボルトを固定する場合にも、側板部の外側からナットを回転させることができるので、ダクト本体の内部にドライバーを挿入することなく、ボルトに丸みを帯びた頭部を有する小ねじを使用して、ケーブルを保護することができる。
【００１９】
そのほか、ダクト本体から蓋体を取り外す際には、ナットを緩めて、蓋止め金具をボルトに対し反転させてぶら下げておくことができるので、蓋体の取り外しや再度の取り付けを容易に行うことができ、ダクトの保守等における作業性が改善される。
【発明を実施するための最良の形態】
【００２０】
以下、この発明の実施形態を添付図面に基づいて説明する。この蓋止め金具を使用するダクトは、図５に示すように、ダクト本体５１に蓋体５２を被せるものであり、ダクト本体５１は、底板部５３の両側に側板部５４を連設した構成とされ、蓋体５２は、蓋板部５５の両側に外嵌部５６を連設した構成とされている。
【００２１】
この蓋止め金具は、図１乃至図３に示すように、金属の板材を曲げて、ステム部１とフック部２とを形成したものとされ、ステム部１の基端側及びフック部２の先端側には、それぞれ折返部１ａ，２ａが形成されている。また、ステム部１からフック部２へかけて、その両側には、ダクト側へ向かうフランジ３が設けられている。
【００２２】
フランジ３は、ステム部１の中間部から斜めに迫り出し、その基端側には膨出する支点部３ａが形成されている。ステム部１には、長さ方向に延びるボルト穴４が穿設され、ボルト穴４は、支点部３ａの上方に対応する位置から折返部１ａの範囲に亘っている。
【００２３】
このような蓋止め金具を使用して、ダクト本体５１に蓋体５２を固定するには、図３に示すように、ダクト本体５１の側板部５４に貫穴５７を穿設しておき、蓋体５２を被せる前に、側板部５４の内側からボルト５を貫穴５７に差し込んで外側へ貫通させ、ボルト５にワッシャ６を挿通し、ナット７をねじ込んで、側板部５４にボルト５を固定する。
【００２４】
そして、ダクト本体５１に蓋体５２を被せ、蓋止め金具をボルト５にボルト穴４を介して挿通し、支点部３ａをダクト本体５１の側板部５４に当接させ、ボルト５に対し、蓋止め金具がボルト穴４に沿ってスライド可能な状態で、ボルト穴４の支点部３ａより上方の部分から突出したボルト５にワッシャ８を挿通し、ナット９をねじ込んで締め付ける。
【００２５】
これに伴い、図１及び図２に示すように、ステム部１がダクト側へ揺動して、フランジ３が蓋体５２の外嵌部５６に押し付けられ、外嵌部５６がダクト本体５１の側板部５４の外面に密着すると共に、フック部２の先端側が蓋板部５５の上面に押し付けられ、蓋板部５５が側板部５４の上端を折り曲げた蓋受部５４ａに密着する。
【００２６】
このように、上記のような蓋止め金具を使用すると、ダクト本体５１に蓋体５２を堅固に固定することができ、従来の蓋止め金具のような座体が不要であることから、製造や取り付けに要するコストも低減される。
【００２７】
また、この蓋止め金具では、ダクト本体５１の側板部５４に貫穴５７を開ける際、厳密に位置決めしなくても、蓋体５２を固定する際、ダクト本体５１に対し、蓋止め金具をステム部１のボルト穴４に規制された範囲でスライドさせることができるので、蓋体５２を確実に固定でき、ダクト本体５１の蓋受部５４ａと蓋体５２の蓋板部５５との間に防水シールを介在させることもできる。
【００２８】
さらに、ダクト本体５１の側板部５４にボルト５を固定する際、側板部５４の外側からナット７を回転させることができるので、ダクト本体５１の内部にドライバーを挿入することなく、ボルト５に丸みを帯びた頭部を有するトラス小ねじ等を使用して、ケーブルを保護することができる。
【００２９】
そのほか、ダクト本体５１から蓋体５２を取り外す際には、図４に示すように、ナット９を緩めて、蓋止め金具をボルト５に対し反転させてぶら下げておくことができるので、蓋体５２の取り外しや再度の取り付けを容易に行うことができ、ダクトの保守等における作業性が改善される。
【００３０】
なお、図示省略したが、ボルト５の先端側にナット９の抜止用のＥリングを嵌めておくと、蓋止め金具の脱落による紛失を防止することができる。
【００３１】
また、上記実施形態では、ナット９として、六角ナットを例示したが、ナット９に蝶ナットを用いて、手で締め付けられるようにしてもよい。
【図面の簡単な説明】
【００３２】
【図１】この発明の実施形態に係る蓋止め金具による蓋体の固定状態を示す斜視図
【図２】同上の縦断側面図
【図３】同上の取付要領を示す分解斜視図
【図４】同上の蓋体の取外し時における蓋止め金具の反転状態を示す斜視図
【図５】ダクト本体に蓋体を被せたダクトを示す斜視図
【図６】従来の蓋止め金具の取付要領を示す分解斜視図
【図７】同上の蓋止め金具による蓋体の固定状態を示す縦断側面図
【図８】同上の蓋体の取外し時の状態を示す縦断側面図
【符号の説明】
【００３３】
１  ステム部
１ａ  折返部
２  フック部
２ａ  折返部
３  フランジ
３ａ  支点部
４  ボルト穴
５  ボルト
６  ワッシャ
７  ナット
８  ワッシャ
９  ナット
５１  ダクト本体
５２  蓋体
５３  底板部
５４  側板部
５４ａ  蓋受部
５５  蓋板部
５６  外嵌部
５７  貫穴
【図１】
2008182844.tif 000003
【図２】
2008182844.tif 000004
【図３】
2008182844.tif 000005
【図４】
2008182844.tif 000006
【図５】
2008182844.tif 000007
【図６】
2008182844.tif 000008
【図７】
2008182844.tif 000009
【図８】
2008182844.tif 000010